(57)【要約】【課題】形状の異なる複数種類の表示パネルを同一の筐体に取り付けることができる表示パネルの取付構造及び当該取付構造を備えた工作機械を提供する。【解決手段】取付部材３０のパネル固定部３２には、表示パネル１０のネジ孔１１に対向する位置に、ネジが挿入されるパネル固定孔３３１が穿設されている。また、取付部材３０の筐体固定部３５には、筐体２０のネジ孔２６に対向する位置に、ネジが挿入される筐体固定孔３６が穿設されている。そして、パネル固定部３２のパネル固定孔３３１、及び表示パネル１０のネジ孔１１にネジを連通させて、パネル固定部３２を表示パネル１０に固定する。また、筐体固定部３５の筐体固定孔３６、及び筐体２０のネジ孔２６にネジを連通させて、筐体固定部３５を筐体２０に固定する。これにより、表示パネル１０が取付部材３０を介して筐体２０に取り付けられる。【選択図】図２
2009169034.tif 000002
【特許請求の範囲】
【請求項１】
表示パネルを取り付けるための被取付部を備えた筐体に、前記被取付部へ固定される取付部を備えた表示パネルを取り付けるための表示パネルの取付構造であって、
前記表示パネルと前記筐体との間に介在して両者を固定する取付部材を備え、
前記取付部材は、
前記表示パネルの前記取付部に固定されるパネル固定部と、
前記筐体の前記被取付部に固定される筐体固定部とを備えたことを特徴とする表示パネルの取付構造。
【請求項２】
前記筐体の前記被取付部はネジが挿通されるネジ孔であり、
前記筐体固定部には、前記筐体の前記ネジ孔に対向する位置に、前記筐体固定部と前記筐体とを固定するネジが挿通される孔である筐体固定孔が設けられ、
前記パネル固定部には、前記表示パネルの前記取付部に対向する位置に、前記パネル固定部と前記表示パネルとを固定するネジが挿通される孔であるパネル固定孔が設けられたことを特徴とする請求項１に記載の表示パネルの取付構造。
【請求項３】
前記筐体は、
前記表示パネルを視認するための開口部が形成された板状のフレーム枠部と、
前記表示パネルが取り付けられる側へ前記フレーム枠部の一対の両端部から各々延設され、前記ネジ孔が穿設される板状の取付部材固定片とからなり、
前記取付部材の前記筐体固定部は板状に形成され、前記取付部材固定片の板面に対して平行に固定されることを特徴とする請求項２に記載の表示パネルの取付構造。
【請求項４】
前記取付部材は、
板状の前記パネル固定部と、
前記筐体が位置する側へ前記パネル固定部の一対の両端部から各々延設され、前記パネル固定部を前記筐体から所定の距離で支持する支持片と、
前記支持片における前記パネル固定部とは反対側の端部から前記パネル固定部と平行な方向に延設される前記筐体固定部とからなり、
前記筐体の前記被取付部は、前記表示パネルが取り付けられる側へ突設される、ネジ孔が形成された突出部又はネジのいずれかであり、
前記筐体固定部には、前記筐体の前記被取付部に対向する位置に、前記被取付部が挿通される孔である筐体固定孔が穿設されていることを特徴とする請求項１に記載の表示パネルの取付構造。
【請求項５】
前記取付部材の前記パネル固定部には、前記取付部の位置が異なる複数種類の表示パネルを固定するための複数のパネル固定孔が穿設されていることを特徴とする請求項２乃至４のいずれかに記載の表示パネルの取付構造。
【請求項６】
前記筐体の前記被取付部は、前記表示パネルが取り付けられる側へ突設される、ネジ孔が形成された突出部又はネジのいずれかであり、
前記筐体固定部には、前記被取付部が挿通される孔である筐体固定孔が設けられ、
前記取付部材は、前記筐体に設けられた複数の前記被取付部の１つと、前記表示パネルに設けられた複数の前記取付部の１つとをそれぞれ固定することを特徴とする請求項１に記載の表示パネルの取付構造。
【請求項７】
前記取付部材の前記パネル固定部は、前記表示パネルのバックライトに電力を供給するためのインバータを固定するインバータ固定部を備えたことを特徴とする請求項１乃至５のいずれかに記載の表示パネルの取付構造。
【請求項８】
請求項１乃至７のいずれかに記載の表示パネルの取付構造を備えた工作機械。
【発明の詳細な説明】
【技術分野】
【０００１】
本発明は、液晶ディスプレイやプラズマディスプレイ等の表示パネルを筐体に取り付けるための表示パネルの取付構造、及び当該取付構造を備えた工作機械に関する。
【背景技術】
【０００２】
従来、筐体の所定位置に複数突設されているピンを、表示パネルの外周縁部に穿設されている取付孔に挿通させて、ピンに形成されているネジ孔にネジを螺合することで表示パネルを筐体に固定する取付構造が知られている。例えば、図６に示すように、特許文献１に記載の取付構造では、表示パネルに穿設されている複数の取付孔に対応するように、筐体４２０の所定位置にピン４２６があらかじめ設けられている。そして、表示パネルの取付孔にピン４２６を挿通させた時点で、筐体４２０における所定の位置に表示パネルが正確に位置決めされる。よって、位置ずれを生じさせることなく表示パネルを筐体４２０に取り付けることができる。
【特許文献１】特開２００６−５５９７６号公報
【発明の開示】
【発明が解決しようとする課題】
【０００３】
しかしながら、このような従来の表示パネルの取付構造では、形状の異なる他の種類の表示パネルを使用する場合、筐体４２０のピン４２６を表示パネルの取付孔に挿通できないため、表示パネルの形状に対応した筐体を新たに用意しなければならなかった。さらに、筐体４２０に取り付けられている操作スイッチや基板等の他の部品も、新たに用意した筐体へ付け替えなければならず、無駄なコストや作業が生じてしまうという問題点があった。
【０００４】
本発明は上記課題を解決するためになされたものであり、形状の異なる複数種類の表示パネルを同一の筐体に取り付けることができる表示パネルの取付構造及び当該取付構造を備えた工作機械を提供することを目的とする。
【課題を解決するための手段】
【０００５】
上記目的を達成するために、請求項１に係る発明の表示パネルの取付構造は、表示パネルを取り付けるための被取付部を備えた筐体に、前記被取付部へ固定される取付部を備えた表示パネルを取り付けるための表示パネルの取付構造であって、前記表示パネルと前記筐体との間に介在して両者を固定する取付部材を備え、前記取付部材は、前記表示パネルの前記取付部に固定されるパネル固定部と、前記筐体の前記被取付部に固定される筐体固定部とを備えている。
【０００６】
また、本発明の請求項２に記載の表示パネルの取付構造は、請求項１に記載の発明の構成に加え、前記筐体の前記被取付部はネジが挿通されるネジ孔であり、前記筐体固定部には、前記筐体の前記ネジ孔に対向する位置に、前記筐体固定部と前記筐体とを固定するネジが挿通される孔である筐体固定孔が設けられ、前記パネル固定部には、前記表示パネルの前記取付部に対向する位置に、前記パネル固定部と前記表示パネルとを固定するネジが挿通される孔であるパネル固定孔が設けられたことを特徴とする。
【０００７】
また、本発明の請求項３に記載の表示パネルの取付構造は、請求項２に記載の発明の構成に加え、前記筐体は、前記表示パネルを視認するための開口部が形成された板状のフレーム枠部と、前記表示パネルが取り付けられる側へ前記フレーム枠部の一対の両端部から各々延設され、前記ネジ孔が穿設される板状の取付部材固定片とからなり、前記取付部材の前記筐体固定部は板状に形成され、前記取付部材固定片の板面に対して平行に固定されることを特徴とする。
【０００８】
また、本発明の請求項４に記載の表示パネルの取付構造は、請求項１に記載の発明の構成に加え、前記取付部材は、板状の前記パネル固定部と、前記筐体が位置する側へ前記パネル固定部の一対の両端部から各々延設され、前記パネル固定部を前記筐体から所定の距離で支持する支持片と、前記支持片における前記パネル固定部とは反対側の端部から前記パネル固定部と平行な方向に延設される前記筐体固定部とからなり、前記筐体の前記被取付部は、前記表示パネルが取り付けられる側へ突設される、ネジ孔が形成された突出部又はネジのいずれかであり、前記筐体固定部には、前記筐体の前記被取付部に対向する位置に、前記被取付部が挿通される孔である筐体固定孔が穿設されていることを特徴とする。
【０００９】
また、本発明の請求項５に記載の表示パネルの取付構造は、請求項２乃至４のいずれかに記載の発明の構成に加え、前記取付部材の前記パネル固定部には、前記取付部の位置が異なる複数種類の表示パネルを固定するための複数のパネル固定孔が穿設されていることを特徴とする。
【００１０】
また、本発明の請求項６に記載の表示パネルの取付構造は、請求項１に記載の発明の構成に加え、前記筐体の前記被取付部は、前記表示パネルが取り付けられる側へ突設される、ネジ孔が形成された突出部又はネジのいずれかであり、前記筐体固定部には、前記被取付部が挿通される孔である筐体固定孔が設けられ、前記取付部材は、前記筐体に設けられた複数の前記被取付部の１つと、前記表示パネルに設けられた複数の前記取付部の１つとをそれぞれ固定することを特徴とする。
【００１１】
また、本発明の請求項７に記載の表示パネルの取付構造は、請求項１乃至５のいずれかに記載の発明の構成に加え、前記取付部材の前記パネル固定部は、前記表示パネルのバックライトに電力を供給するためのインバータを固定するインバータ固定部を備えている。
【００１２】
また、本発明の請求項８に記載の工作機械は、請求項１乃至７のいずれかに記載の表示パネルの取付構造を備えている。
【発明の効果】
【００１３】
本発明の請求項１に記載の表示パネルの取付構造によると、取付部材のパネル固定部に表示パネルの取付部を固定し、取付部材の筐体固定部に筐体の被取付部を固定することで、表示パネルを筐体に取り付けることができる。よって、形状の異なる他の種類の表示パネルを新たに筐体に取り付ける場合、表示パネルの形状に対応可能な取付部材を用いるだけで、新たな筐体を用意することなく表示パネルを取り付けることができる。従って、無駄なコストや作業を削減することができる。
【００１４】
また、本発明の請求項２に記載の表示パネルの取付構造は、請求項１に記載の発明の効果に加え、筐体のネジ孔と、取付部材の筐体固定孔とにネジを連通させることで、取付部材を容易に筐体へ固定することができる。また、表示パネルの取付部と、取付部材のパネル固定孔とをネジを用いて固定することで、表示パネルと取付部材とを容易に固定することができる。
【００１５】
また、本発明の請求項３に記載の表示パネルの取付構造は、請求項２に記載の発明の効果に加え、筐体のフレーム枠部の一対の両端部から、表示パネルの取付側へ取付部材固定片が各々延設され、この取付部材固定片にネジ孔が穿設されている。そして、取付部材における板状の筐体固定部が、取付部材固定片と平行に配設されてネジで固定されることにより、表示パネルが筐体に取り付けられる。従って、取付部材固定片がフレーム枠部に対して平行に延設されている場合に比べて、筐体の幅を狭くすることができる。よって、スペースが無駄に使用されることを防ぐことができる。
【００１６】
また、本発明の請求項４に記載の表示パネルの取付構造は、請求項１に記載の発明の効果に加え、取付部材の両端部に筐体固定部が設けられているため、取付部材をより強固に筐体へ固定することができる。また、被取付部を筐体固定孔に挿通させて、筐体に対する取付部材の位置決めを行ってから固定作業を行うことができるため、取付部材を取付位置で押さえながら固定作業をする必要がなく、容易且つ正確に取付部材を筐体に固定することができる。また、筐体における表示パネルが取り付けられる側の反対側、すなわち、表示パネルの正面側からは被取付部を視認することができないため、見栄えを損なうことを防ぐことができる。
【００１７】
また、本発明の請求項５に記載の表示パネルの取付構造は、請求項２乃至４のいずれかに記載の発明の効果に加え、取付部材のパネル固定部には、取付部の位置が異なる複数種類の表示パネルを固定するための複数のパネル固定孔が穿設されている。従って、他の種類の新たな表示パネルを筐体に取り付ける場合、使用するパネル固定孔を変更するだけで、新たな取付部材を用意することなく容易に表示パネルを取り付けることができる。
【００１８】
また、本発明の請求項６に記載の表示パネルの取付構造は、請求項１に記載の発明の効果に加え、筐体に設けられた複数の被取付部の１つと、表示パネルに設けられた複数の取付部の１つとが取付部材によってそれぞれ固定される。従って、１つの取付部材によって複数の被取付部及び取付部が固定される場合に比べ、取付部材の形状を小型化することができる。また、筐体における表示パネルが取り付けられる側の反対側からは被取付部を視認することができないため、見栄えを損なうことを防ぐことができる。
【００１９】
また、本発明の請求項７に記載の表示パネルの取付構造は、請求項１乃至５のいずれかに記載の発明の効果に加え、取付部材は、形状の異なる複数種類の表示パネルを同一の筐体に取り付けることを可能にする機能と、表示パネルのバックライトに電力を供給するためのインバータを取り付けることを可能にする機能とを兼ねる。従って、部品点数を削減することができ、作業効率の向上及びコストの低下を実現することができる。
【００２０】
また、本発明の請求項８に記載の工作機械は、請求項１乃至７のいずれかに記載の発明と同様の作用効果を奏することができる。
【発明を実施するための最良の形態】
【００２１】
以下、本発明を適用した第一の実施形態について、図１乃至図３を参照して説明する。図１は、本発明を適用した操作パネル１００を備えたマシニングセンタ１の正面図であり、図２は、第一の実施形態の操作パネル１００の分解斜視図であり、図３は、表示パネル１０が装着された状態の操作パネル１００を左斜め後方から見た斜視図である。尚、図２及び図３の紙面裏側を操作パネル１００の正面側、表側を背面側とし、図２及び図３の紙面右上側を操作パネル１００の上方、紙面左下側を下方とする。
【００２２】
まず、マシニングセンタ１の概略構造について、図１を参照して説明する。図１に示すように、マシニングセンタ１は、ワークを加工する機械本体（図示外）と、当該機械本体の周囲を取り囲んで保護するスプラッシュカバー２とから構成されている。そして、機械本体では、先端に工具が装着された主軸が高速回転することによって、ワークに対する穴あけや中ぐり等の各種作業が行われる。尚、マシニングセンタ１が本発明の「工作機械」に相当する。
【００２３】
次いで、スプラッシュカバー２について説明する。スプラッシュカバー２は、機械本体の作業によって生じる切り屑やクーラント（切削液）の飛沫等の飛散を防ぎ、外部周囲が汚染されるのを防止するための略直方体状の金属製のカバーである。そして、スプラッシュカバー２の正面には、ワークを出し入れするためのカバー開口部（図示外）が形成されており、このカバー開口部には、左右両側にスライド開閉する一対の左開閉扉３及び右開閉扉４が各々配設されている。さらに、左開閉扉３及び右開閉扉４の略中央には、窓部５，６が各々設けられている。また、スプラッシュカバー２の右開閉扉４の右側には、縦長の略長方形状の操作パネル開口部（図示外）が開口され、この操作パネル開口部には、マシニングセンタ１の操作を行うための操作パネル１００が嵌め込まれている。
【００２４】
次いで、操作パネル１００について説明する。図１に示すように、操作パネル１００は正面視縦長の長方形状のパネルであり、主に、マシニングセンタ１の設定画面及び稼働状況等がモニタリングされる液晶の表示パネル１０と、この表示パネル１０や各種キー等が取り付けられる筐体２０とからなる。そして、筐体２０の略上半分には、表示パネル１０を正面側から視認可能とするための開口部２２（図２参照）が形成されており、この開口位置に合わせて表示パネル１０が取り付けられる。また、筐体２０における開口部の下方には、設定値を入力するためのテンキー（図示外）や、表示パネル１０に表示されている画面の切り替え等を行うための各種操作キー、マシニングセンタ１の起動スイッチ等、様々なキー及びスイッチが配設されている。
【００２５】
次に、本発明の特徴である操作パネル１００の構造の詳細について、図２を参照して説明する。図２に示すように、操作パネル１００は、表示パネル１０と、筐体２０と、一対の取付部材３０，３０と、表示パネル１０のバックライトを点灯させるためのインバータ４０とを備えている。
【００２６】
まず、表示パネル１０の構造について説明する。表示パネル１０は矩形の板状に形成されており、その四隅には、自身と取付部材３０，３０とを固定するためのネジ１５（図３参照）が挿入されるネジ孔１１が各々穿設されている。一般に、表示パネルの製造メーカーが異なれば、同じサイズの表示パネルであっても、穿設されているネジ孔１１の位置は異なることとなる。また、図示しないが、表示パネル１０の内部の背面側には、冷陰極蛍光ランプや外部電極蛍光ランプからなるバックライトが複数本配設されており、このバックライトの駆動電圧はインバータ４０によって出力される。尚、インバータ４０にはネジが挿入される孔４１が２箇所に穿設されている。また、表示パネル１０のネジ孔１１が本発明の「取付部」に相当する。
【００２７】
次いで、筐体２０の構造について説明する。筐体２０は、フレーム枠部２１と、左右一対の取付部材固定片２４，２４とにより構成されており、これらは金属や合成樹脂等の適度な剛性を有する材質によって形成されればよい。フレーム枠部２１は正面視長方形状の板状部材であり、その背面側における略下半分には、各種キーやスイッチ等を固定するためのネジ孔やピンが多数配設されている。また、フレーム枠部２１の略上半分には、表示パネル１０を正面側から視認可能とするための矩形の開口部２２が形成されている。さらに、フレーム枠部２１の左右の端部における略上半分からは、開口部２２の開口位置に合わせて、取付部材３０，３０を固定するための帯状の板材である取付部材固定片２４，２４が、背面側へ向けて垂直に各々延設されている。この取付部材固定片２４，２４の長手方向（上下方向）の端部近傍には、取付部材３０，３０と筐体２０とを固定するためのネジ１５（図３参照）が挿入されるネジ孔２６が穿設されている。尚、ネジ孔２６が本発明における「被取付部」に相当する。
【００２８】
次いで、取付部材３０，３０について説明する。取付部材３０，３０は、表示パネル１０を筐体２０に固定するための部材であり、金属や合成樹脂等によって形成される。そして、この取付部材３０，３０の各々は、表示パネル１０に固定されるパネル固定部３２と、筐体２０の取付部材固定片２４に固定される筐体固定部３５とからなる。
【００２９】
パネル固定部３２は、表示パネル１０と平行に配置される帯状の板材であり、取付部材３０，３０と表示パネル１０とを固定するためのネジ１５（図３参照）が挿入される複数のパネル固定孔３３１，３３２が穿設されている。ここで、１つのパネル固定部３２には、ネジ孔１１の穿設位置が互いに異なる２種類の表示パネルをいずれも固定可能とするために、あらかじめ４つのパネル固定孔３３１，３３２が穿設されている。すなわち、パネル固定部３２の長手方向両端部近傍に各々穿設されているパネル固定孔３３１は、ネジ孔１１が四隅の近傍に穿設されている表示パネル１０を固定するために形成されている。また、パネル固定孔３３１よりも中央側に穿設されているパネル固定孔３３２は、ネジ孔１１の穿設位置が表示パネル１０における穿設位置よりも端部の中央に近い表示パネルを固定するために形成されている。さらに、右側（図２における紙面左上側）の取付部材３０のパネル固定部３２には、その中央に、インバータ４０を取り付けるための２つの取付用ネジ３４が突設しており、この取付用ネジ３４が本発明の「インバータ固定部」に相当する。
【００３０】
筐体固定部３５は、パネル固定部３２の短手方向一端部から筐体２０側へ垂直に延設される帯状の板材である。そして、この筐体固定部３５の長手方向両端部近傍には、筐体２０の取付部材固定片２４，２４のネジ孔２６に対向する位置に、ネジ１５が挿入される筐体固定孔３６が穿設されている。尚、この筐体固定部３５の短手方向の長さは、筐体２０の取付部材固定片２４，２４の短手方向の長さと同じになっている。これにより、筐体固定部３５の一部が筐体２０よりも正面側へ突き出ることを防止している。
【００３１】
次に、第一の実施形態に係る取付部材３０，３０を介した表示パネル１０の筐体２０への取付手順の一例について、図２及び図３を参照して説明する。図２に示すように、まず、表示パネル１０へ取付部材３０，３０を固定する。パネル固定部３２が表示パネル１０と平行となるように、表示パネル１０の左側（図２における紙面右下側）の端部に左側の取付部材３０を位置させて、パネル固定部３２における２つのパネル固定孔３３１と、表示パネル１０における２つのネジ孔１１と各々を一致させる。そして、パネル固定孔３３１及びネジ孔１１にネジ１５（図３参照）を連通させることで、両者を固定する。表示パネル１０の右側においても同様に、右側の取付部材３０をネジ１５によって固定する。次いで、右側の取付部材３０に突設されている２つの取付用ネジ３４を、インバータ４０の孔４１に挿入させてから、この取付用ネジ３４にナット１６（図３参照）を螺着することで、インバータ４０を取付部材３０に固定する。
【００３２】
次いで、表示パネル１０に固定された取付部材３０，３０を、筐体２０の取付部材固定片２４，２４に取り付ける。表示パネル１０の左右の端部と取付部材３０，３０との間の隙間に、筐体２０の取付部材固定片２４，２４が入り込むように表示パネル１０を位置させる。そして、取付部材３０，３０の筐体固定部３５に穿設された４つの筐体固定孔３６と、筐体２０の取付部材固定片２４，２４に穿設された４つのネジ孔２６とを各々一致させる。そして、筐体固定孔３６及びネジ孔２６にネジ１５を連通させることで、両者を固定する。これにより、表示パネル１０が筐体２０へ取り付けられる。尚、この取付手順は一例であり、他の手順を用いてもよいことは言うまでもない。例えば、取付部材３０，３０を先に筐体２０に固定してから、表示パネル１０を取付部材３０，３０に取り付けることも可能である。
【００３３】
以上説明したように、第一の実施形態の操作パネル１００では、取付部材３０のパネル固定部３２に表示パネル１０を固定し、筐体固定部３５に筐体２０を固定することで、表示パネル１０を筐体２０に取り付けることができる。従って、ネジ孔１１の穿設位置が異なる他の種類の表示パネルを新たに筐体２０に取り付ける場合、表示パネルの形状に対応可能な取付部材３０を用いるだけで、新たな筐体を用意することなく表示パネルを取り付けることができる。さらに、取付部材３０のパネル固定部３２には、ネジ孔１１の穿設位置が異なる２種類の表示パネルを固定するために、４つのパネル固定孔３３１，３３２が穿設されている。従って、使用するパネル固定孔３３１，３３２を変更するだけで、１組の取付部材３０で２種類の表示パネルを筐体２０に取り付けることができる。よって、無駄なコストや作業を削減することができる。
【００３４】
また、筐体２０の取付部材固定片２４，２４は、フレーム枠部２１の一対の両端部から表示パネル１０の取付側へ各々延設され、この取付部材固定片２４，２４にネジ孔２６が穿設されている。そして、取付部材３０における板状の筐体固定部３５が、取付部材固定片２４，２４と平行に配設されて両者がネジ１５で固定されることにより、表示パネル１０が筐体２０に取り付けられる。従って、取付部材固定片２４，２４がフレーム枠部２１に対して屈曲されていない場合に比べて筐体２０の左右方向の幅を狭くすることができ、スペースが無駄に使用されることを防ぐことができる。
【００３５】
また、操作パネル１００では、筐体２０のネジ孔２６と、取付部材３０，３０の筐体固定孔３６とにネジ１５を連通させることで、取付部材３０，３０を容易に筐体２０へ固定することができる。ここで、筐体２０のネジ孔２６、及び取付部材３０，３０の筐体固定孔３６の少なくともいずれかに替えてネジやピンをあらかじめ固定しておくと、取付部材３０，３０に表示パネル１０を固定して筐体２０の取付位置に配置する際、突出したネジやピンが引っ掛かるため、取り付けが困難になる。さらに、取付部材３０，３０のパネル固定孔３３１，３３２に替えてネジやピンをあらかじめ固定しておくと、表示パネル１０のネジ孔１１に挿入されないネジやピンが邪魔になるため、複数種類の表示パネルに対して使用可能なネジやピンをあらかじめ突設しておくことは困難になる。しかしながら、第一の実施形態によると、２つの孔にネジ１５を連通させる固定方法を用いることで、表示パネル１０の取り付けを容易にしつつ、取付部材３０，３０を複数種類の表示パネルの固定に適用することを可能にしている。また、取付部材３０，３０は、表示パネル１０を筐体２０に取り付ける機能と、表示パネル１０のバックライトに駆動電圧を出力するインバータ４０を固定する機能とを兼ねるため、インバータ４０を固定するための部材を新たに用いる必要がない。
【００３６】
次に、本発明の第二の実施形態の操作パネル２００の構造について、図４を参照して説明する。図４は、第二の実施形態の操作パネル２００の分解斜視図である。図４に示すように、操作パネル２００は、表示パネル１０と、筐体２２０と、一対の取付部材２３０，２３０と、インバータ４０とを備えている。尚、表示パネル１０及びインバータ４０は第一の実施形態と同じであるため、同一の番号を付してこの説明を省略する。
【００３７】
筐体２２０は正面視長方形状の板状部材であり、その略上半分には、表示パネル１０を正面側から視認可能とするための矩形の開口部２２２が形成されている。そして、開口部２２２の開口位置に合わせて、上部の２つの角部近傍、及び左右の端部における中央部近傍にネジ２２６が背面側へ向けて突設している。尚、ネジ２２６が本発明の「被取付部」に相当する。
【００３８】
取付部材２３０，２３０の各々は、パネル固定部２３２と、２つの支持片２３３，２３３と、２つの筐体固定部２３５，２３５とからなる。パネル固定部２３２は表示パネル１０と平行に配置される帯状の板材であり、取付部材２３０，２３０と表示パネル１０とを固定するためのネジ（図示外）が挿入される複数のパネル固定孔３５１，３５２が穿設されている。詳細には、パネル固定部２３２の長手方向両端部近傍に各々穿設されているパネル固定孔３５１は、ネジ孔１１が四隅の近傍に穿設されている表示パネル１０を固定するために形成されている。そして、パネル固定孔３５１よりも中央側に穿設されているパネル固定孔３５２は、ネジ孔１１の穿設位置が表示パネル１０における穿設位置よりも端部の中央に近い表示パネルを固定するために形成されている。また、パネル固定部２３２の長手方向両端部からは、パネル固定部２３２を筐体２２０から所定の距離で支持する支持片２３３が正面側（図４における紙面下側）へ向けて延設している。さらに、２つの支持片２３３，２３３の正面側の端部からは、板状の筐体固定部２３５，２３５が表示パネル１０と平行に外側へ向けて延設している。この筐体固定部２３５，２３５には、筐体２２０のネジ２２６に対向する位置に、ネジ２２６が挿入される筐体固定孔２３６が穿設されている。また、上側（図４における紙面右上側）の取付部材２３０のパネル固定部２３２には、その中央に、インバータ４０を取り付けるための２つの取付用ネジ２３４が背面側へ突設しており、この取付用ネジ３４が本発明の「インバータ固定部」に相当する。
【００３９】
そして、取付手順の一例としては、まず、パネル固定部２３２のパネル固定孔３５１と、表示パネル１０のネジ孔１１とを各々一致させてネジ（図示外）を挿通し、表示パネル１０と２つの取付部材２３０，２３０とを固定する。次いで、上側の取付部材２３０に突設されている２つの取付用ネジ２３４をインバータ４０の孔４１に挿入させてから、この取付用ネジ２３４にナット（図示外）を螺着させて、インバータ４０を取付部材２３０に固定する。次いで、取付部材２３０，２３０の筐体固定孔２３６に、筐体２２０のネジ２２６を挿入し、ナットを螺着させる。これにより、表示パネル１０が筐体２２０に取り付けられる。
【００４０】
以上説明したように、第二の実施形態の操作パネル２００では、取付部材２３０の両端部に筐体固定部２３５，２３５が設けられているため、取付部材２３０をより強固に筐体２２０に固定することができる。また、筐体２２０のネジ２２６を取付部材２３０の筐体固定孔２３６に挿通させて、筐体２２０に対する取付部材２３０の位置決めを行ってから固定作業を行うことができるため、取付部材２３０を取付位置で押さえながら固定作業を行う必要がない。よって、容易且つ正確に取付部材２３０を筐体２２０に取り付けることができる。また、操作パネル２００の正面側からはネジ２２６を視認することができないため、見栄えを損なうことを防ぐことができる。そして、取付部材２３０のパネル固定部２３２に穿設されている４つのパネル固定孔３５１，３５２のうち、使用するパネル固定孔３５１，３５２を変更するだけで、１組の取付部材２３０で２種類の表示パネルを筐体２２０に取り付けることができる。さらに、取付部材２３０はインバータ４０を固定することもできるため、インバータ４０を固定するための部材を新たに用いる必要もない。
【００４１】
次に、本発明の第三の実施形態の操作パネル３００の構造について、図５を参照して説明する。図５は、第三の実施形態の操作パネル３００の分解斜視図である。図５に示すように、操作パネル３００は、表示パネル１０と、筐体２２０と、４つの取付部材３３０とを備えている。尚、表示パネル１０は第一の実施形態と同じであり、筐体２２０は第二の実施形態と同じであるため、同一の番号を付してこの説明を省略する。また、第三の実施形態においては、インバータ４０は他の位置に固定されるため、これを図示しない。
【００４２】
第三の実施形態における取付部材３３０は矩形の板状部材である。そして、その一部であるパネル固定部３３３に、ネジ孔が形成されたピン３３４が突設するとともに、パネル固定部３３３の反対側に位置する筐体固定部３３５に、筐体２２０のネジ２２６が挿入される筐体固定孔３３６が穿設されている。そして、筐体２２０の４つのネジ２２６の各々に、取付部材３３０の筐体固定孔３３６を挿入してナット（図示外）を螺着させることで、取付部材３３０を筐体２２０に固定する。次いで、表示パネル１０の４つのネジ孔１１の各々にピン３３４を挿入し、このピン３３４にネジ（図示外）を螺合することで、表示パネル１０を筐体２２０に取り付けることができる。
【００４３】
以上説明したように、第三の実施形態の操作パネル３００では、１つの取付部材３３０が、筐体２２０に突設された４つのネジ２２６の１つと、表示パネル１０に穿設された４つのネジ孔１１の１つとを固定する。よって、１つの取付部材で複数のネジ２２６及びネジ孔１１と固定する場合に比べて、取付部材３３０の形状を小型化することができる。また、操作パネル３００の正面側からはネジ２２６を視認することができないため、見栄えを損なうことを防ぐことができる。
【００４４】
尚、本発明は上記の実施形態に限られず、様々な形態で実施可能である。まず、第一の実施形態では、ネジ孔１１の穿設位置が異なる２種類の表示パネルを、１つの取付部材３０を介して筐体２０に取付可能とするために、４つのパネル固定孔３３１，３３２がパネル固定部３２に穿設されている。しかし、３種類以上の表示パネルを取付可能とするために、より多数のパネル固定孔をパネル固定部３２に穿設してもよいし、１種類の表示パネルのみに対応可能としてもよい。これは、第二の実施形態の取付部材２３０についても同様である。また、第三の実施形態では、筐体２２０のネジ２２６が挿入される筐体固定孔３３６をあらかじめ複数取付部材３３０に穿設することで、形状の異なる複数種類の表示パネルを取付可能としてもよい。
【００４５】
また、部材同士を固定するための構造は適宜変更が可能である。例えば、第二の実施形態（図４参照）では、筐体２２０に取付部材２３０を固定するために、筐体２２０に４つのネジ２２６が突設され、このネジ２２６を取付部材２３０の筐体固定孔２３６に挿入させてナットを螺着させることで、両者を固定する。しかし、筐体２２０のネジ２２６の数は４つに限られないし、ネジ２２６の替わりに、ネジ孔が形成されたピン等の他の部材を用いてもよい。また、第三の実施形態（図５参照）の取付部材３３０に突設されているピン３３４も、ネジ等に変更することができる。
【図面の簡単な説明】
【００４６】
【図１】本発明を適用した操作パネル１００を備えたマシニングセンタ１の正面図である。
【図２】第一の実施形態の操作パネル１００の分解斜視図である。
【図３】表示パネル１０が装着された状態の操作パネル１００を右斜め後方から見た斜視図である。
【図４】第二の実施形態の操作パネル２００の分解斜視図である。
【図５】第三の実施形態の操作パネル３００の分解斜視図である。
【図６】従来の筐体４２０の背面側の構造を示す斜視図である。
【符号の説明】
【００４７】
１    マシニングセンタ
１０    表示パネル
１１    ネジ孔
１５    ネジ
２０，２２０    筐体
２１    フレーム枠部
２２，２２２    開口部
２４    取付部材固定片
２６    ネジ孔
３０，２３０，３３０    取付部材
３２，２３２，３３３    パネル固定部
３４，２３４    取付用ネジ
３５，２３５，３３５    筐体固定部
３６，２３６，３３６    筐体固定孔
４０    インバータ
１００，２００，３００    操作パネル
２２６    ネジ
２３３    支持片
３３１，３３２，３５１，３５２    パネル固定孔
３３４    ピン
【図１】
2009169034.tif 000003
【図２】
2009169034.tif 000004
【図３】
2009169034.tif 000005
【図４】
2009169034.tif 000006
【図５】
2009169034.tif 000007
【図６】
2009169034.tif 000008